(57)【要約】  本発明は、取付け状態において形状接続を形成するワイパアームアダプタユニット（１０ａ〜１０ｅ）とワイパブレードアダプタユニット（１２ａ〜１２ｅ）と、並びにワイパアームアダプタユニット（１０ａ〜１０ｅ）をガイドするための長手方向ガイドユニット（２０ａ〜２０ｅ）とを備えた、自動車ウインドウガラス用ワイパ装置から出発する。ワイパ装置が、ワイパブレードアダプタユニット（１２ａ〜１２ｅ）に可動に支承されたロック手段（１４ａ〜１４ｅ）を有しており、該ロック手段（１４ａ〜１４ｅ）は、取付け状態においてワイパアームアダプタユニット（１０ａ〜１０ｅ）の、少なくともほぼ一方の長手方向（１６ａ〜１６ｅ）への運動自由度を拘束するように設けられている、ということを提案する。
2013545664.tif 000002
【特許請求の範囲】
【請求項１】
取付け状態において形状接続を形成するワイパアームアダプタユニット（１０ａ〜１０ｅ）とワイパブレードアダプタユニット（１２ａ〜１２ｅ）と、並びに前記ワイパアームアダプタユニット（１０ａ〜１０ｅ）をガイドするための長手方向ガイドユニット（２０ａ〜２０ｅ）とを備えた自動車ウインドウガラス用ワイパ装置において、
前記ワイパブレードアダプタユニット（１２ａ〜１２ｅ）に、ロック手段（１４ａ〜１４ｅ）が可動に支承されており、該ロック手段（１４ａ〜１４ｅ）は、取付け状態においてワイパアームアダプタユニット（１０ａ〜１０ｅ）の、少なくともほぼ一方の長手方向（１６ａ〜１６ｅ）への運動自由度を拘束するように設けられていることを特徴とする、自動車ウインドウガラス用ワイパ装置。
【請求項２】
前記ロック手段（１４ａ〜１４ｅ）は、係止手段（１８ａ〜１８ｅ）として形成されている、請求項１記載のワイパ装置。
【請求項３】
前記係止手段（１８ａ〜１８ｅ）は、前記ワイパブレードアダプタユニット（１２ａ〜１２ｅ）の基体（２２ａ〜２２ｅ）と一体的に形成されている、請求項２記載のワイパ装置。
【請求項４】
前記係止手段（１８ｂ；１８ｃ）は、取付けに際して前記ワイパブレードアダプタユニット（１２ｂ；１２ｃ）の基体（２２ｂ；２２ｃ）の横方向（４６ｂ；４６ｃ）に対して少なくともほぼ平行に変位されるように設けられている、請求項３記載のワイパ装置。
【請求項５】
前記係止手段（１８ａ；１８ｄ；１８ｅ）は、取付けに際して前記ワイパブレードアダプタユニット（１２ａ；１２ｄ；１２ｅ）の基体（２２ａ；２２ｄ；２２ｅ）の垂直方向（４４ａ；４４ｄ；４４ｅ）に対して少なくともほぼ平行に変位されるように設けられている、請求項３記載のワイパ装置。
【請求項６】
少なくとも作動状態において、少なくとも大部分を前記ワイパアームアダプタユニット（１０ａ〜１０ｅ）により形成されるカバー（３８ａ〜３８ｅ）が設けられている、請求項１から５までのいずれか１項記載のワイパ装置。
【請求項７】
請求項１から６までのいずれか１項記載のワイパ装置のワイパブレードアダプタユニット。
【請求項８】
請求項７記載のワイパブレードアダプタユニットを備えたワイパブレード。
【発明の詳細な説明】
【技術分野】
【０００１】
背景技術
本発明は、請求項１の上位概念に記載のワイパ装置から出発する。
【０００２】
取付け状態において形状接続を形成するワイパアームアダプタユニットとワイパブレードアダプタユニットとを備えた自動車ウインドウガラス用ワイパ装置は、既に公知である。
【０００３】
発明の開示
本発明は、取付け状態において形状接続（形状的な束縛、例えば係合による結合）を形成するワイパアームアダプタユニットとワイパブレードアダプタユニット、並びにワイパアームアダプタユニットをガイドするための長手方向ガイドユニットを備えた自動車ウインドウガラス用ワイパ装置から出発する。
【０００４】
ワイパ装置が、ワイパブレードアダプタユニットに可動に支承されたロック手段を有しており、このロック手段は取付け状態においてワイパアームアダプタユニットの、少なくともほぼ一方の長手方向への運動自由度を拘束するように設けられている、ということを提案する。これにより、ワイパアームアダプタユニットの、ワイパブレードアダプタユニットへの特に簡単な取付けが達成され得る。これに関連して「ワイパブレードアダプタユニット」とは特に、ワイパブレード構成部材に対する接触領域を有していて、ワイパブレード構成部材に紛失不能に結合されており、且つワイパアームアダプタユニットと結合及び／又は接触接続するための、ワイパブレード構成部材の結合領域を提供するために設けられているアダプタユニットを意味している。好ましくは、ワイパブレードアダプタユニットが、ワイパアームアダプタユニットを結合及び／又は接触接続するための結合面を提供する基体を有している。これに関連して「ワイパアームアダプタユニット」とは特に、ワイパアーム構成部材に対する接触領域を有していて、ワイパアーム構成部材に紛失不能に結合されており、且つワイパブレードアダプタユニットと結合及び／又は接触接続するための、ワイパアーム構成部材の結合領域を提供するために設けられているアダプタユニットを意味している。これに関連して「設けられている」とは特に、特別に装備且つ／又は設計されているということを意味するものである。これに関連して「取付け状態」とは特に、ワイパブレードアダプタユニットとワイパアームアダプタユニットとが互いに結合されている状態を意味している。これに関連して「長手方向」とは特に、ワイパブレードアダプタユニットの主延在方向に対して少なくともほぼ平行に延びる方向を意味している。これに関連して「ほぼ」とは特に、１０°未満の偏差を意味している。これに関連して「長手方向ガイドユニット」とは特に、ワイパブレードアダプタユニットに対して相対的に、ワイパアームアダプタユニットを長手方向に対してほぼ平行にガイドするために設けられているユニットを意味している。
【０００５】
別の構成においてロック手段が係止手段として形成されていることが提案され、これにより特に迅速な取付け手順が達成される。これに関連して「係止手段」とは特に、取付け手順において弾性変形させられる手段を意味している。
【０００６】
係止手段がワイパブレードアダプタユニットの基体と一体的に形成されていると、ワイパブレードアダプタユニットは特に廉価に製造され得る。「一体的」とは特に、例えば溶接プロセス及び／又は接着プロセス等を介して材料接続的に結合されていることを意味しており、特に有利には、１つの部材からの製造及び／又は１成分又は多成分射出成形法での製造による一体成形を意味している。
【０００７】
係止手段が、取付け時にワイパブレードアダプタユニットの基体の横方向に対して少なくともほぼ平行に変位されるように設けられていると、ワイパブレードアダプタユニットは、特に大きな力を吸収することができる。これに関連して「横方向」とは特に、長手方向に対して垂直に且つ垂直方向に対して垂直に位置していて、払拭平面に対して平行に延びる方向を意味している。これに関連して「払拭平面」とは特に、ワイパブレードアダプタユニットに取り付けられたワイパブレードにより、作動状態において払拭される理想化された平面を意味している。これに関連して「垂直方向」とは特に、払拭平面に対して垂直な方向を意味している。
【０００８】
更に別の構成において、係止手段が、取付け時にワイパブレードアダプタユニットの基体の垂直方向に対して少なくともほぼ平行に変位されるように設けられていることが提案される。これにより、係止手段は特に簡単に操作され得る。
【０００９】
ワイパ装置が、少なくとも作動状態において少なくとも大部分をワイパアームアダプタユニットにより形成されるカバーを有していると、ワイパ装置は例えば水等の外部の影響から特に簡単に保護され得る。これに関連して「カバー」とは特に、ワイパ装置の大部分を取り囲む少なくとも１つの側壁を意味しており、この側壁は、気体及び／又は液体の浸透を防ぐために設けられている。
【００１０】
別の利点は、以下の図面の記載から明らかである。図面には、本発明の実施形態が示されている。図面、明細書及び請求項は、多数の特徴の組合わせを含むものである。当業者はこれらの特徴を目的にかなうように個別でも考察し、且つ有効な別の組合わせにまとめるであろう。
【図面の簡単な説明】
【００１１】
【図１】図１ａ〜図１ｃは、ワイパ装置の斜視図で取付け手順を示すものである。
【図２】図２ａ及び図２ｂは、ワイパ装置の別の実施形態の斜視図で取付け手順を示すものである。
【図３】図３ａ及び図３ｂは、ワイパ装置の更に別の実施形態の斜視図で取付け手順を示すものである。
【図４】図４ａ及び図４ｂは、ワイパ装置の更に別の実施形態の斜視図で取付け手順を示すものである。
【図５】図５ａ及び図５ｂは、ワイパ装置の更に別の実施形態の斜視図で取付け手順を示すものである。
【００１２】
以下に、本発明の実施形態を図面につき詳しく説明する。
【００１３】
図１ａには、ワイパアームアダプタユニット１０ａと、ワイパブレードアダプタユニット１２ａとを備えた本発明によるワイパ装置が外された状態で示されている。
【００１４】
ワイパブレードアダプタユニット１２ａは、基体２２ａを有しており、この基体２２ａはワイパブレード２４ａに結合されている。基体２２ａには可動に支承されたロック手段１４ａが配置されていて、このロック手段１４ａは係止手段１８ａとして形成されている。更に、基体２２ａは長手方向ガイドユニット２０ａを有しており、この長手方向ガイドユニット２０ａは側方切欠き２８ａを含むものであり、この側方切欠き２８ａは、基体２２ａの側壁３２ａ内で、当該側方切欠き２８ａの主延在方向において長手方向１６ａに対してほぼ平行に延びている。基体２２ａの側壁３２ａに向かい合う他方の側には、別の側方切欠き（図示せず）が配置されている。
【００１５】
係止手段１８ａは、基体２２ａと一体的に形成されていて、長手方向１６ａに傾斜している逆さフック３０ａを有している（図１ｂ）。ワイパアームアダプタユニット１０ａをワイパブレードアダプタユニット１２ａに取り付ける際に、係止手段１８ａはワイパアームアダプタユニット１０ａにより、垂直方向４４ａに対してほぼ平行に変位される。
【００１６】
ワイパアームアダプタユニット１０ａは、ワイパアーム２６ａと一体的に形成されている。しかし、これに関連してワイパアームアダプタユニット１０ａをワイパアーム２６ａとは別個に形成し且つ適当な結合部材を介して互いに結合することも考えられる。ワイパアームアダプタユニット１０ａは、固定用切抜き部３４ａを有しており、取付け状態において固定用切抜き部３４ａに係止手段１８ａが係合して（図１ｃ）、これによりワイパブレードアダプタユニット１２ａに対するワイパアームアダプタユニット１０ａの長手方向１６ａでの相対運動を防止している。更に、ワイパアームアダプタユニット１０ａは、取付け状態において見えている外面３６ａで以て、ワイパ装置のカバー３８ａの大部分を形成している。
【００１７】
取付け状態において、ワイパアームアダプタユニット１０ａは側方切欠き２８ａに係合しており、これによりワイパブレードアダプタユニット１２ａに対するワイパアームアダプタユニット１０ａの、垂直方向４４ａに対して平行な相対運動が防止される。ワイパアームアダプタユニット１０ａは、基体２２ａと部分的に整合して接触しており、これにより特に、ワイパブレードアダプタユニット１２ａに対するワイパアームアダプタユニット１０ａの、横方向４６ａに対して平行な相対運動が防止される。
【００１８】
図２〜図５には、本発明の別の４つの実施形態がそれぞれ示されている。以下の説明は、主として各実施形態間の相違点に限定されており、同一の構成部材、特徴及び機能については、第１実施形態の説明を参照されたい。各実施形態を区別するために、図１に示した実施形態の符号に付したａの文字は、図２〜図５に示した実施形態の符号ではｂ〜ｅの文字にそれぞれ振り替えてある。同じ名称の構成部材、特に同一符号を有する構成部材についても、原則として第１実施形態の図面及び／又は説明を参照されたい。
【００１９】
図２ａには、ワイパアームアダプタユニット１０ｂと、ワイパブレードアダプタユニット１２ｂとを備えたワイパ装置の別の実施形態が、外された状態で示されている。
【００２０】
ワイパアームアダプタユニット１０ｂは、ワイパアーム２６ｂと一体的に形成されている。
【００２１】
更に、ワイパアームアダプタユニット１０ｂは、取付け状態において見えている外面３６ｂを以てワイパ装置のカバー３８ｂの大部分を形成している。
【００２２】
ワイパブレードアダプタユニット１２ｂは基体２２ｂを有している。この基体２２ｂには、可動に支承されたロック手段１４ｂが配置されており、このロック手段１４ｂは係止手段１８ｂとして形成されている。更に、基体２２ｂは長手方向ガイドユニット２０ｂを有しており、この長手方向ガイドユニット２０ｂは側方切欠き２８ｂを含むものであり、この側方切欠き２８ｂは、基体２２ｂの側壁３２ｂ内で、当該側方切欠き２８ｂの主延在方向において長手方向１６ｂに対してほぼ平行に延びている。基体２２ｂの、側壁３２ｂに向かい合う他方の側には、別の側方切欠き（図示せず）が配置されている。
【００２３】
係止手段１８ｂは、基体２２ｂと一体的に形成されていて、逆さフック３０ｂを有している。この逆さフック３０ｂは楔形に形成されていて、基体２２ｂの、楔先端部４０ｂとは反対の側に配置されている。ワイパアームアダプタユニット１０ｂをワイパブレードアダプタユニット１２ｂに取り付ける際に、係止手段１８ｂがワイパアームアダプタユニット１０ｂにより、横方向４６ｂに対してほぼ平行に変位される。
【００２４】
図２ｂには、ワイパ装置が取付け状態で示されている。ワイパアームアダプタユニット１０ｂは、ワイパブレードアダプタユニット１２ｂの基体２２ｂに被せ嵌められている。この場合、ワイパアームアダプタユニット１０ｂは、基体２２ｂの側方切欠き２８ｂに係合して、基体２２ｂと形状接続している。これにより、ワイパブレードアダプタユニット１２ｂに対するワイパアームアダプタユニット１０ｂの、横方向４６ｂに対して平行な相対運動並びに垂直方向４４ｂに対して平行な相対運動が防止されている。
【００２５】
係止手段１８ｂは、ワイパアームアダプタユニット１０ｂのバックストップ（逆転防止装置、図示せず）の背面に係合し、これによりワイパブレードアダプタユニット１２ｂに対するワイパアームアダプタユニット１０ｂの、長手方向１６ｂに対して平行な相対運動を防止する。
【００２６】
図３ａには、ワイパアームアダプタユニット１０ｃと、ワイパブレードアダプタユニット１２ｃとを備えたワイパ装置の更に別の実施形態が、外された状態で示されている。
【００２７】
ワイパアームアダプタユニット１０ｃは、ワイパアーム２６ｃと一体的に形成されている。更に、ワイパアームアダプタユニット１０ｃは、取付け状態において見えている外面３６ｃを以てワイパ装置のカバー３８ｃの大部分を形成している。
【００２８】
ワイパブレードアダプタユニット１２ｃは、基体２２ｃを有している。基体２２ｃには可動に支承されたロック手段１４ｃが配置されていて、このロック手段１４ｃは係止手段１８ｃとして形成されている。更に、基体２２ｃは長手方向ガイドユニット２０ｃを有しており、この長手方向ガイドユニット２０ｃは側方切欠き２８ｃを含むものであり、側方切欠き２８ｃは基体２２ｃの側壁３２ｃ内で、当該側方切欠き２８ｃの主延在方向において長手方向１６ｃに対してほぼ平行に延びている。基体２２ｃの、側壁３２ｃに向かい合う他方の側には、別の側方切欠き（図示せず）が配置されている。
【００２９】
係止手段１８ｃは、基体２２ｃと一体的に形成されていて、逆さフック３０ｃを有している。この逆さフック３０ｃは楔形に形成されていて、基体２２ｃの、楔先端部４０ｃとは反対の側に配置されている。ワイパアームアダプタユニット１０ｃをワイパブレードアダプタユニット１２ｃに取り付ける際に、係止手段１８ｃはワイパアームアダプタユニット１０ｃにより、横方向４６ｃに対してほぼ平行に変位される。
【００３０】
図３ｂには、ワイパ装置が取付け状態で示されている。ワイパアームアダプタユニット１０ｃは、ワイパブレードアダプタユニット１２ｃの基体２２ｃに被せ嵌められている。この場合、ワイパアームアダプタユニット１０ｃは、基体２２ｃの側方切欠き２８ｃに係合していて基体２２ｃと形状接続している。これにより、ワイパブレードアダプタユニット１２ｃに対するワイパアームアダプタユニット１０ｃの、横方向４６ｃに対して平行な相対運動並びに垂直方向４４ｃに対して平行な相対運動が防止されている。
【００３１】
係止手段１８ｃは、ワイパアームアダプタユニット１０ｃのバックストップ（図示せず）の背面に係合しており、これによりワイパブレードアダプタユニット１２ｃに対するワイパアームアダプタユニット１０ｃの、長手方向１６ｃに対して平行な相対運動を防止している。
【００３２】
図４ａには、ワイパアームアダプタユニット１０ｄと、ワイパブレードアダプタユニット１２ｄとを備えたワイパ装置の更に別の実施形態が、外された状態で示されている。
【００３３】
ワイパアームアダプタユニット１０ｄは、ワイパアーム２６ｄと一体的に形成されている。更に、ワイパアームアダプタユニット１０ｄは、取付け状態において見えている外面３６ｄを以てワイパ装置のカバー３８ｄの大部分を形成している。
【００３４】
ワイパブレードアダプタユニット１２ｄは、基体２２ｄを有している。基体２２ｄには可動に支承されたロック手段１４ｄが配置されていて、このロック手段１４ｄは係止手段１８ｄとして形成されている。係止手段１８ｄは、基体２２ｄと一体的に形成されており且つ逆さフック３０ｄを備えた、板に類似した変位可能な係止体４２ｄを有している。逆さフック３０ｄは楔形に形成されていて、係止体４２ｄと一体的に形成されている。ワイパアームアダプタユニット１０ｄをワイパブレードアダプタユニット１２ｄに取り付ける際に、係止手段１８ｄはワイパアームアダプタユニット１０ｄにより、ほぼ垂直方向４４ｄに変位される。
【００３５】
更に、基体２２ｄは長手方向ガイドユニット２０ｄを有しており、この長手方向ガイドユニット２０ｄは側方切欠き２８ｄを含むものであり、この側方切欠き２８ｄは基体２２ｄの側壁３２ｄ内で、当該側方切欠き２８ｄの主延在方向において長手方向１６ｄに対してほぼ平行に延びている。
【００３６】
図４ｂには、ワイパ装置が取付け状態で示されている。ワイパアームアダプタユニット１０ｄは、ワイパブレードアダプタユニット１２ｄの基体２２ｄに被せ嵌められている。この場合、ワイパアームアダプタユニット１０ｄは基体２２ｄの側方切欠き２８ｄに係合していて基体２２ｄと形状接続している。これにより、ワイパブレードアダプタユニット１２ｄに対するワイパアームアダプタユニット１０ｄの、横方向４６ｄに対して平行な相対運動並びに垂直方向４４ｄに対して平行な相対運動が防止されている。
【００３７】
係止手段１８ｄは、ワイパアームアダプタユニット１０ｄのバックストップ（図示せず）の背面に係合しており、これによりワイパブレードアダプタユニット１２ｄに対するワイパアームアダプタユニット１０ｄの、長手方向１６ｄに対して平行な相対運動を防止している。
【００３８】
図５ａには、ワイパアームアダプタユニット１０ｅと、ワイパブレードアダプタユニット１２ｅとを備えたワイパ装置の更に別の実施形態が、外された状態で示されている。
【００３９】
ワイパアームアダプタユニット１０ｅは、ワイパアーム２６ｅと一体的に形成されている。更に、ワイパアームアダプタユニット１０ｅは、取付け状態において見えている外面３６ｅを以てワイパ装置のカバー３８ｅの大部分を形成している。
【００４０】
ワイパブレードアダプタユニット１２ｅは、基体２２ｅを有している。この基体２２ｅには、可動に支承されたロック手段１４ｅが配置されていて、このロック手段１４ｅは係止手段１８ｅとして形成されている。係止手段１８ｅは、基体２２ｅと一体的に形成されていて、板に類似した変位可能な係止体４２ｅを有している。ワイパアームアダプタユニット１０ｅをワイパブレードアダプタユニット１２ｅに取り付ける際に、係止手段１８ｅはワイパアームアダプタユニット１０ｅにより、垂直方向４４ｅとはほぼ逆の方向に変位される。
【００４１】
更に、基体２２ｅは長手方向ガイドユニット２０ｅを有しており、この長手方向ガイドユニット２０ｅは側方切欠き２８ｅを含むものであり、この側方切欠き２８ｅは、基体２２ｅの側壁３２ｅ内で、当該側方切欠き２８ｅの主延在方向において長手方向１６ｅに対してほぼ平行に延びている。
【００４２】
図５ｂには、ワイパ装置が取付け状態で示されている。ワイパアームアダプタユニット１０ｅは、ワイパブレードアダプタユニット１２ｅの基体２２ｅに被せ嵌められている。この場合、ワイパアームアダプタユニット１０ｅは基体２２ｅの側方切欠き２８ｅに係合していて基体２２ｅと形状接続している。これにより、ワイパブレードアダプタユニット１２ｅに対するワイパアームアダプタユニット１０ｅの、横方向４６ｅに対して平行な相対運動並びに垂直方向４４ｅに対して平行な相対運動が防止されている。
【００４３】
係止手段１８ｅは、ワイパアームアダプタユニット１０ｅのバックストップ（図示せず）の背面に係合しており、これによりワイパブレードアダプタユニット１２ｅに対するワイパアームアダプタユニット１０ｅの、長手方向１６ｅに対して平行な相対運動を防止している。
【図１ａ】
2013545664.tif 000003
【図１ｂ】
2013545664.tif 000004
【図１ｃ】
2013545664.tif 000005
【図２ａ】
2013545664.tif 000006
【図２ｂ】
2013545664.tif 000007
【図３ａ】
2013545664.tif 000008
【図３ｂ】
2013545664.tif 000009
【図４ａ】
2013545664.tif 000010
【図４ｂ】
2013545664.tif 000011
【図５ａ】
2013545664.tif 000012
【図５ｂ】
2013545664.tif 000013
【手続補正書】
【提出日】平成25年6月13日(2013.6.13)
【手続補正１】
【補正対象書類名】図面
【補正対象項目名】図５
【補正方法】変更
【補正の内容】
【図５】
2013545664.tif 000014
【国際調査報告】
2013545664.tif 000015
2013545664.tif 000016
2013545664.tif 000017
2013545664.tif 000018